【手続補正書】
【提出日】平成31年4月9日(2019.4.9)
【手続補正１】
【補正対象書類名】特許請求の範囲
【補正対象項目名】全文
【補正方法】変更
【補正の内容】
【特許請求の範囲】
【請求項１】
所定のパターン画像をシートに形成する画像形成手段と、
前記画像形成手段により前記所定のパターン画像が形成されたシートを載置部に載置する方向を通知する通知手段と、
前記載置部に載置され、前記所定のパターン画像が形成されたシートをライン毎に読み取って画像データを生成する読み取り手段と、
前記読み取り手段により前記シートを読み取って生成した前記画像データを解析して、前記シートの所定の辺に沿った方向に伸びるスジ状の画像を検出する検出手段と、を有し、
前記通知手段は、前記読み取り手段が前記所定のパターン画像が形成されたシートを前記所定の辺に沿った方向のライン毎に読み取ることができる載置方向を通知することを特徴とする画像形成装置。
【請求項２】
前記画像形成装置は表示部をさらに有し、
前記通知手段は、前記画像形成手段が前記所定のパターン画像をシートに形成した後、前記シートを前記載置部に載置する方向を前記表示部に表示することを特徴とする請求項１に記載の画像形成装置。
【請求項３】
前記シートが前記通知手段により通知された方向で載置されたことに従って、前記読み取り手段が前記シートの読み取りを開始することができるよう制御する制御手段をさらに有することを特徴とする請求項１に記載の画像形成装置。
【請求項４】
前記画像形成手段は、ＣＭＹＫのトナーのそれぞれ一つの色のトナーで形成される領域を有する前記所定のパターン画像を形成することを特徴とする請求項１に記載の画像形成装置。
【請求項５】
前記検出手段により検出される前記スジ状の画像の特徴量に基づいて、前記画像形成手段に発生した異常の原因を推定する推定手段をさらに有することを特徴とする請求項１に記載の画像形成装置。
【請求項６】
前記推定手段により推定された前記原因を外部の情報処理装置に送信する送信手段をさらに有することを特徴とする請求項５に記載の画像処理装置。
【請求項７】
前記推定手段は、前記スジ状の画像の形成された位置、幅、画素値の少なくとも一つを前記特徴量に基づいて前記原因を推定することを特徴とする請求項５に記載の画像処理装置。
【請求項８】
前記検出手段は、前記読み取り手段により前記所定の画像が形成されたシートを読み取ることで得られる画像データの所定の領域を切り出して、前記所定の辺に沿った方向のライン毎に画素値の代表値を算出し、前記代表値が所定の範囲に含まれないラインをスジ状の画像として検出することを特徴とする請求項１に記載の画像形成装置。
【請求項９】
前記検出手段は、前記所定の辺に沿った方向の１ラインに含まれる画素の画素値の平均を前記代表値とすることを特徴とする請求項８に記載の画像形成装置。
【請求項１０】
前記読み取り手段は、前記載置部に載置された前記シートを前記読み取り手段が前記シートを読み取るラインに対して垂直方向に移動させながら前記シートに形成された画像を読み取ることを特徴とする請求項１に記載の画像処理装置。
【請求項１１】
前記シートは所定の辺と前記所定の辺と直交する辺を有し、
前記画像形成手段は、前記所定の辺と直交する辺を先端として前記シートを搬送して前記所定のパターン画像を形成することを特徴とする請求項１に記載の画像処理装置。
【請求項１２】
画像形成装置と情報処理装置で構成される画像形成システムであって、
前記画像形成装置は、
所定のパターン画像をシートに形成する画像形成手段と、
前記画像形成手段により前記所定のパターン画像が形成されたシートを載置部に載置する方向を通知する通知手段と、
前記載置部に載置され、前記所定のパターン画像が形成された前記シートに形成された画像をライン毎に読み取って画像データを生成する読み取り手段と、
前記読み取り手段により前記シートを読み取って生成された前記画像データを前記情報処理装置に送信する送信手段と、を有し、
前記情報処理装置は、前記画像処理装置から受信した前記画像データを解析して、前記シートの所定の辺に沿って伸びるスジ状の画像を検出する検出手段を有し、
前記通知手段は、前記読み取り手段が前記所定のパターン画像が形成されたシートを前記所定の辺に沿った方向のライン毎に読み取ることのできる載置方向を通知することを特徴とする画像形成システム。
【請求項１３】
画像形成装置の制御方法であって、
所定のパターン画像をシートに形成する画像形成ステップと、
前記画像形成ステップにおいて前記所定のパターン画像が形成された前記シートを載置部に載置する方向を通知する通知ステップと、
前記載置部に載置され、前記所定のパターン画像が形成された前記シートをライン毎に読み取って画像データを生成する読み取りステップと、
前記読み取りステップにおいて前記シートを読み取って生成された画像データを解析して、前記シートの所定の辺に沿って伸びるスジ状の画像を検出する検出ステップと、を有し、
前記通知ステップにおいて、前記パターン画像が形成されたシートを前記所定の辺に沿った方向のライン毎に読み取ることができる載置方向を通知することを特徴とする画像形成装置の制御方法。
【請求項１４】
所定のパターン画像をシートに形成する画像形成ステップと、
前記画像形成ステップにおいて、前記所定のパターン画像が形成されたシートを載置部に載置する方向を通知する通知ステップと、
前記載置部に載置され、前記所定のパターン画像が形成された前記シートをライン毎に読み取って画像データを生成する読み取りステップと、
前記読み取りステップにおいて前記シートを読み取って生成された画像データを解析して、前記シートの所定の辺に沿った方向に伸びるスジ状の画像を検出する検出ステップと、を有し、
前記通知ステップにおいて、前記パターン画像が形成されたシートを前記所定の辺に沿った方向のライン毎に読み取ることができる載置方向を通知することを特徴とする画像形成装置の制御方法を、前記画像形成装置のコンピュータに実行させるプログラム。
【手続補正２】
【補正対象書類名】明細書
【補正対象項目名】発明の名称
【補正方法】変更
【補正の内容】
【発明の名称】画像形成装置、画像形成システム、画像形成装置の制御方法、ならびにプログラム
【手続補正３】
【補正対象書類名】明細書
【補正対象項目名】０００１
【補正方法】変更
【補正の内容】
【０００１】
本発明は画像形成装置、画像形成システム、画像形成装置の制御方法、ならびにプログラムに関する。
【手続補正４】
【補正対象書類名】明細書
【補正対象項目名】００１２
【補正方法】変更
【補正の内容】
【００１２】
本発明は、所定のパターンが形成されたシートを読み取り手段の給紙トレイや原稿台ガラスに設置するときに、画像形成時に生じた第一の方向のスジと読み取り時の読み取りラインに垂直方向に生じるスジが同一方向にあらわれないよう、所定のパターンが形成されたシートをユーザに設置させることを目的とする。
【手続補正５】
【補正対象書類名】明細書
【補正対象項目名】００１３
【補正方法】変更
【補正の内容】
【００１３】
上記課題を解決するために本発明の画像形成装置は、所定のパターン画像をシートに形成する画像形成手段と、前記画像形成手段により前記所定のパターン画像が形成されたシートを載置部に載置する方向を通知する通知手段と、前記載置部に載置され、前記所定のパターン画像が形成されたシートをライン毎に読み取って画像データを生成する読み取り手段と、前記読み取り手段により前記シートを読み取って生成した前記画像データを解析して、前記シートの所定の辺に沿った方向に伸びるスジ状の画像を検出する検出手段と、を有し、前記通知手段は、前記読み取り手段が前記所定のパターン画像が形成されたシートを前記所定の辺に沿った方向のライン毎に読み取ることができる載置方向を通知することを特徴とする。
【手続補正６】
【補正対象書類名】明細書
【補正対象項目名】００１４
【補正方法】変更
【補正の内容】
【００１４】
本発明により、所定のパターンが形成されたシートを読み取り手段の給紙トレイや原稿台ガラスに設置するときに、画像形成時に生じた第一の方向のスジと読み取り時の読み取りラインに垂直方向に生じるスジが同一方向にあらわれないように所定のパターンが形成されたシートをユーザに設置させることが可能となる。